(57)【要約】【課題】  視聴率集計システムにおいて、視聴率調査に関するＴＶ受信機及び集計センターいずれの処理負荷も低減するデジタル放送受信端末を得る。【解決手段】  番組名を含むデジタル放送波を受信するデジタル放送受信部と、このデジタル放送受信部の受信した番組名及び視聴時間帯を含む視聴情報データを記憶する記憶部と、インターネットを介して上記記憶部に記憶した上記視聴情報データを視聴率集計サーバへ送信する送信部とを備えた。【選択図】          図１
2006222574.tif 000002
【特許請求の範囲】
【請求項１】
番組名を含むデジタル放送波を受信するデジタル放送受信部と、
このデジタル放送受信部の受信した番組名及び視聴時間帯を含む視聴情報データを記憶する記憶部と、
インターネットを介して上記記憶部に記憶した上記視聴情報データを視聴率集計サーバへ送信する送信部と
を備えたことを特徴とするデジタル放送受信端末。
【請求項２】
送信部は、デジタル放送受信部で受信した番組に対するユーザ入力情報を付加した視聴情報データを視聴率集計サーバへ送信する
ことを特徴とする請求項１記載のデジタル放送受信端末。
【請求項３】
所有者の個人情報を記憶する個人情報記憶部を備え、
送信部は、上記個人情報記憶部の記憶した個人情報を付加した視聴情報データを視聴率集計サーバに送信する
ことを特徴とする請求項１記載のデジタル放送受信端末。
【発明の詳細な説明】
【技術分野】
【０００１】
この発明は、地上波デジタル放送又は人工衛星を利用した携帯端末向けデジタル放送の受信機能及びインターネット接続機能を有するデジタル放送受信端末に関する。
【背景技術】
【０００２】
従来技術として、ＴＶ受像機に設置し、電話回線を通じて視聴したＴＶの視聴チャンネルをデータセンターへ送信するデータ処理装置、及びこのデータ処理装置から送信されたＴＶの視聴チャンネルに基づいて視聴率を算出する視聴率調査装置がある（例えば、特許文献１参照）。
【０００３】
また、別の従来技術として、インターネットを利用して視聴したＴＶの視聴データをインターネット上のサーバへ送信するインターネット接続機能を内蔵したＴＶ受信機、及びこのＴＶ受信機から送信された視聴データに基づいて視聴率を算出する集計センターがある（例えば、特許文献２参照）。
【０００４】
【特許文献１】特開昭６３−３７７２６号（第２頁左上第２〜１２行）
【特許文献２】特許第３３０５７２７号（第４〜８頁）
【発明の開示】
【発明が解決しようとする課題】
【０００５】
特許文献１においては、ＴＶ受像機毎にデータ処理装置を設置する必要があり、膨大なコストがかかるという問題点があった。また、全国的な集計を行おうとすると、データセンターは、受信したＴＶの視聴チャンネル及び視聴チャンネルを送信したデータ処理装置の設置されている地域から視聴したＴＶ番組を特定する処理をすべての視聴チャンネルに対して行う必要があるので、設置するデータ処理装置の数が増えるほどデータセンターの処理負荷が増大するという問題点があった。
【０００６】
特許文献２においては、視聴率集計の為の専用機器を必要とせず、集計センター側の処理負荷も軽減されているものの、ＴＶ受信機がインターネット経由でＴＶ番組表を入手し、そのＴＶ番組表を元に視聴した番組を特定する処理や、番組を視聴した時間を計算する処理などを実行しているので、例えば、ハイブリット携帯端末のような可搬型ＴＶ受信機のように、ＰＣと比較してＣＰＵ性能が低く、ＰＣ以上にバッテリの駆動時間も意識しなければならないＴＶ受信機には、適さないという問題点があった。
【０００７】
この発明は、上記のような問題点を解消するためになされたもので、視聴率集計システムにおいて、視聴率調査に関するＴＶ受信機及び集計センターいずれの処理負荷も低減するデジタル放送受信端末を得ることを目的とするものである。
【課題を解決するための手段】
【０００８】
この発明に係るデジタル放送受信端末は、番組名を含むデジタル放送波を受信するデジタル放送受信部と、このデジタル放送受信部の受信した番組名及び視聴時間帯を含む視聴情報データを記憶する記憶部と、インターネットを介して上記記憶部に記憶した上記視聴情報データを視聴率集計サーバへ送信する送信部とを備えたものである。
【発明の効果】
【０００９】
この発明に係るデジタル放送受信端末は、デジタル放送波に含まれた番組名及び視聴時間帯を含む視聴情報データを、インターネットを介して視聴率集計サーバへ送信するようにしたので、視聴率集計の為の専用機器を必要とせず、視聴率調査に関するデジタル放送受信端末及び視聴率集計サーバいずれの処理負荷も低減することができる効果がある。
【発明を実施するための最良の形態】
【００１０】
実施の形態１．
図１は、実施の形態１〜４に係るＴＶ番組視聴率集計のシステム構成図である。デジタル放送受信端末としてのハイブリット携帯端末１は、地上波デジタル放送局２から送出される携帯端末向けのデジタル放送波３を受信するデジタル放送受信機能と、インターネット４に接続する携帯電話機能を備えている。この実施の形態１では、ハイブリット携帯端末１が地上波デジタル放送局２からデジタル放送波３を受信するようにしているが、人工衛星を利用したデジタル放送波３を受信するようにしてもよい。
ハイブリット携帯端末１は、デジタル放送波３を受信すると、受信したデジタル放送を画面イメージ５のように表示し、視聴内容を示す視聴情報データ６を蓄積してインターネット４を介してセンター７へ送信する。インターネット４を介した通信では、インターネット４で標準的に使用されているＳＳＬ（Ｓｅｃｕｒｅ  Ｓｏｃｋｅｔｓ  Ｌａｙｅｒ）通信を利用して、通信の安全性が確保される。
放送事業者又は視聴率の集計を行う機関が管理するセンター７は、ＷＷＷ（Ｗｏｒｌｄ  Ｗｉｄｅ  Ｗｅｂ）サーバ８、視聴率集計サーバ９及びアプリケーションサーバ１０で構成されている。ＷＷＷサーバ８は、ハイブリット携帯端末１と通信して視聴情報データ６を受信し、ＷＷＷサーバ８の受信した視聴情報データ６は、視聴率集計サーバ９が解析して、ハイブリット携帯端末１の視聴した放送チャンネル、番組名及び視聴時間などを集計し、視聴率を導き出す。
【００１１】
図２は、実施の形態１〜４に係るハイブリット携帯端末１のブロック構成図であり、ＣＰＵ１１が、ハイブリット携帯端末１の全体を制御している。
デジタル放送受信部としてのＴＶ受信処理部１２は、ＴＶ受信アンテナ１３を介して受信したデジタル放送波３を受信するための処理を行い、選局を行うためのチューナ部と、デジタル放送波３の解析を行うデマルチプレクサ部を備えている。表示処理部１４は、ＴＶ受信処理部１２の指示により受信したデジタル放送を表示する。
送信部としての携帯電話無線通信処理部１５は、携帯電話アンテナ１６を介してインターネット４経由で視聴情報データ６の送受信を行うための処理を行う。キー入力処理部１７は、ユーザによるキー入力を処理する。
データ解析処理部１８は、ＴＶ受信処理部１２のチューナ部から受け取った選局情報と、デマルチプレクサ部から受け取った選局中のデジタル放送波３に含まれる番組名を、視聴情報データ６として、記憶部としての視聴情報データ保存部１９に記録する。
個人情報記憶部としての個人情報データ保存部２０には、ユーザが予め入力した個人情報データを保存している。
【００１２】
図３は、実施の形態１に係る視聴情報データ６の構成図であり、視聴情報ヘッダＡ３ａ及びデータ３ｂ〜３ｄで構成されている。選局情報３ｂは、ＴＶ受信処理部１２のチューナ部が選局を行う際の選局情報が記録されており、この選局情報３ｂにより選局したチャンネルを特定することができる。選局情報は総務省が管轄する団体で、放送波毎に一意に決められているものである。
番組名３ｃは、選局中のデジタル放送波３に含まれる番組名が記録されている。
視聴時間帯としての視聴開始−終了時間３ｄは、視聴を開始してから終了するまでの時間情報で、ハイブリット携帯端末１の時計機能を利用して、選局情報３ｂのチャンネルを選局してから、他の選局情報３ｂのチャンネルを選局するまでの日時が記録されている。
【００１３】
次に、実施の形態１における視聴率集計システムについて図１〜３を用いて説明する。
まず、ユーザがデジタル放送を視聴するための選局をキー入力処理部１７を用いて操作すると、データ解析処理部１８は、ＣＰＵ１１を介してＴＶ受信処理部１２へ選局情報を受け渡す。ＴＶ受信処理部１２は、受け取った選局情報により、ＴＶ受信アンテナ１３を介してデジタル放送波３を受信し、表示処理部１４にＴＶ番組を表示することで、ユーザによる視聴が開始される。
このとき、データ解析処理部１８は、視聴情報ヘッダＡ３ａを生成し、ＴＶ受信処理部１２のチューナ部が選局した選局情報３ｂ、選局中のデジタル放送波３に含まれる番組名３ｃ及び視聴開始時間３ｄを視聴情報データ保存部１９に記録する。
ユーザが異なるチャンネルを視聴するための選局をキー入力処理部１７を用いて操作すると、データ解析処理部１８は、視聴していたチャンネルの視聴情報データ６の視聴情報ヘッダＡ３ａに対応する視聴終了時間３ｄを記録し、異なるチャンネルに対応した新たな視聴情報データ６の視聴情報ヘッダＡ３ａ、選局情報３ｂ、番組名３ｃ及び視聴開始時間３ｄを視聴情報データ保存部１９に記録する。
このように、異なるチャンネルが選局される度に、それまで視聴していたチャンネルの視聴情報データ６の視聴情報ヘッダＡ３ａに対応する視聴終了時間３ｄを記録し、異なるチャンネルに対応する新たな視聴情報データ６の視聴情報ヘッダＡ３ａ、選局情報３ｂ、番組名３ｃ及び視聴開始時間３ｄを視聴情報データ保存部１９に記録する。
【００１４】
また、ＣＰＵ１１はアプリケーションプログラムに従って、予め決められた時間になると定期的に又はユーザ操作によって、一定期間内に視聴情報データ保存部１９に記録された視聴情報データ６を、携帯電話無線通信処理部１５、携帯電話アンテナ１６を介してインターネット４経由でＷＷＷサーバ８へ送信する。ＷＷＷサーバ８は受信した視聴情報データ６を視聴率集計サーバ９へ受け渡す。
【００１５】
視聴情報データ６を送信する時間になったときに、ハイブリット携帯端末１上でデジタル放送を視聴している場合は視聴情報データ６の送信を行わず、デジタル放送の視聴が終了した時点で送信処理を開始するようにしてもよい。これによって、デジタル放送の視聴中にインターネット４の通信が発生してしまったときに、ユーザの興味がデジタル放送の視聴からインターネット４の通信に移ってしまうことを防ぐことができる。
【００１６】
また、アプリケーションプログラムが視聴情報データ６を送信する時間を、乱数などを用いて決めてもよい。これによって、センター７のサーバの負荷を分散させることができる。
【００１７】
このように、ハイブリット携帯端末１は、選局中のデジタル放送波３に含まれる番組名３ｃを利用して視聴率集計サーバ９へ送信し、視聴率集計サーバ９は、ハイブリット携帯端末１から番組名３ｃ及び視聴開始−終了時間３ｄを含む視聴情報データ６を受信するので、ハイブリット携帯端末１及び視聴率集計サーバ９いずれの処理負荷を軽減しつつ、特定の時間帯に放送されたＴＶ番組の視聴率を容易に集計することができる。
【００１８】
視聴情報データ６を送信するハイブリット携帯端末１は、無作為に抽出してもよく、ユーザのプライバシー保護も考慮して視聴率の集計を予め契約又は視聴情報データ６送信前にダイアログ表示などによってユーザに確認してから送信するようにしてもよい。
【００１９】
実施の形態２．
図４は、実施の形態２〜４に係るハイブリット携帯端末１でデジタル放送を受信中に表示処理部１４に表示するＴＶ映像の画面イメージ図である。デジタル放送のデータ放送コンテンツ４ａ及び４ｂは、データ放送向けのページ記述言語であり、デジタル放送で広く使用されているＢＭＬ（Ｂｒｏａｄｃａｓｔ  Ｍａｒｋｕｐ  Ｌａｎｇｕａｇｅ）で記述されている。データ放送コンテンツ４ｂはキー入力処理部１７により選択することができ、この実施の形態２では、視聴中のＴＶ番組に対する興味有無を問う内容になっている。
【００２０】
図５は、実施の形態２に係る視聴情報データ６の構成図である。図３の視聴情報データ６に、第２の視聴情報データを付加したものであり、視聴情報ヘッダＢ５ａ、視聴中のＴＶ番組の番組開始からの経過時間５ｂ及びユーザがキー入力処理部１７を操作して選択したユーザ入力情報としてのキーイベント情報５ｃで構成されている。番組開始からの経過時間５ｂは、デジタル放送波３に含まれているものである。
【００２１】
次に、実施の形態２における視聴率集計システムについて図１、２、４及び５を用いて説明する。
ユーザがハイブリット携帯端末１を用いてデジタル放送を視聴する処理は、実施の形態１と同様であるが、データ解析処理部１８は、視聴情報ヘッダＡ３ａの生成とともに、視聴情報ヘッダＢ５ａを生成する。
次に、ユーザが表示処理部１４に表示されているＴＶ映像のデータ放送コンテンツ４ｂの「興味あり」又は「興味なし」の部分をキー入力処理部１７で選択すると、データ解析処理部１８は、ＴＶ受信処理部１２のデマルチプレクサ部が受信したデジタル放送波３に含まれる番組開始からの経過時間５ｂと、「興味あり」又は「興味なし」を示すキーイベント情報５ｃを視聴情報データ保存部１９に記録する。
【００２２】
図５の視聴情報データ６を視聴率集計サーバ９へ送信する処理は実施の形態１と同様であるが、ハイブリット携帯端末１から受信した視聴情報データ６に視聴情報ヘッダＢ５ａが含まれている場合、視聴率集計サーバ９は、番組開始からの経過時間５ｂ及びキーイベント情報５ｃの集計も行う。
【００２３】
このように、ハイブリット携帯端末１が、ユーザが入力した「興味あり」又は「興味なし」を示すキーイベント情報５ｃを送信するようにしたので、視聴率集計サーバ９は、ＴＶ番組の視聴率の集計とともに、ユーザが視聴したＴＶ番組に対する興味有無に関するアンケートを集計することができる。また、デジタル放送波３に含まれる番組開始からの経過時間５ｂも送信するようにしたので、アンケートが番組中に複数回実施されたときでも、どのアンケートに対する回答なのかを特定することができる。
【００２４】
また、放送事業者、ＴＶ番組制作者又はＣＭ（ｃｏｍｍｅｒｃｉａｌ）のスポンサーは、アンケートとして興味有無の他、感想や嗜好を入手することもできるので、入手したアンケート結果を、番組製作や、ＣＭを放送する番組を決める際のマーケティング情報として利用できる。
【００２５】
実施の形態３．
図６は、実施の形態３及び４に係る視聴情報データ６の構成図である。図５の視聴情報データ６に、さらに個人情報データを付加したものであり、個人情報ヘッダ６ａ及び個人情報６ｂで構成されている。個人情報６ｂは、ユーザが予め個人情報データ保存部２０に保存しておいたものであり、例えば性別や年齢などである。
【００２６】
次に、実施の形態３における視聴率集計システムについて図１、２及び６を用いて説明する。
ユーザがハイブリット携帯端末１を用いてデジタル放送を視聴する処理は、実施の形態２と同様であるが、データ解析処理部１８は、視聴情報ヘッダＡ３ａ及び視聴情報ヘッダＢ５ａの生成とともに、個人情報ヘッダ６ａを生成する。
【００２７】
図６の視聴情報データ６を視聴率集計サーバ９へ送信する処理は実施の形態２と同様であるが、ユーザのプライバシー保護を考慮して、個人情報送信前にダイアログ表示などによってユーザに確認してから送信するようにしてもよい。ユーザが拒否した場合、個人情報以外の視聴情報データ６のみを送信するようにしてもよく、視聴情報データ６の送信自体を行わないようにしてもよい。
【００２８】
視聴率集計サーバ９は、ハイブリット携帯端末１から受信した視聴情報データ６に個人情報ヘッダ６ａが含まれている場合、個人情報６ｂの集計も行う。
【００２９】
このように、ハイブリット携帯端末１がユーザの個人情報６ｂを送信するようにしたので、視聴率集計サーバ９は、視聴者の性別や世代を分析することができる。
【００３０】
また、放送事業者、ＴＶ番組制作者又はＣＭ（ｃｏｍｍｅｒｃｉａｌ）のスポンサーは、視聴率集計サーバ９によって入手した視聴者の個人情報を用いて、番組製作や、ＣＭを放送する番組を決める際のマーケティング情報として利用できる。
【００３１】
実施の形態４．
放送事業者が、１ヶ月間に週１回放送の連続ドラマを、番組開始から終了まで３回以上視聴したことを応募条件とする視聴者プレゼントを企画した場合のシステムについて、図１及び７を用いて説明する。
【００３２】
図７は、実施の形態４に係る視聴率集計サーバ９に送信された視聴情報データ６の具体例（ａ）、（ｂ）及び（ｃ）を示す図である。
【００３３】
ユーザがハイブリット携帯端末１を用いてデジタル放送を視聴する処理及び視聴情報データ６を視聴率集計サーバ９へ送信する処理は、実施の形態３と同様である。ただし、視聴情報データ６に含まれる個人情報は、ユーザがハイブリット携帯端末１に搭載されているインターネットブラウザ機能を利用して、視聴者プレゼントを応募する際に入力するようにしてもよい。
【００３４】
アプリケーションサーバ１０は、ＷＷＷサーバ８を介してハイブリット携帯端末１から視聴情報データ６を受信する。アプリケーションサーバ１０は、視聴者プレゼント対象のＴＶ番組を同一視聴者が番組開始から終了まで視聴したことを、視聴率集計サーバ９で集計した視聴情報データ６の番組名３ｃ、個人情報６ｂ及び視聴開始-終了時間３ｄから検索し、さらに１ヶ月間に３回以上視聴したことを、視聴情報データ６の視聴回数から検索して、全ての条件を満たした視聴者を視聴者プレゼントの応募資格有りと判断する。
【００３５】
放送事業者は、この結果を用いて応募資格のある視聴者に対して視聴者プレゼントを送付するサービスを提供できる。
【００３６】
このように視聴情報データ６の内容によって視聴者プレゼントを提供するようにしたので、視聴者の確保に貢献できる。また視聴者プレゼント提供側は視聴者プレゼントを応募した視聴者がＴＶ番組を確実に視聴したことを確認することができるので、マーケティングとして活用できる。
また、このように、視聴者プレゼントの応募資格又は商品等購入時の割引など様々なサービスを提供することを、視聴情報データ６や個人情報データ６ｂを送付した見返りと位置付けることで、視聴率調査協力の動機付けとすることもできる。
【図面の簡単な説明】
【００３７】
【図１】実施の形態１〜４に係るシステム構成図である。
【図２】実施の形態１〜４に係るハイブリット携帯端末１のブロック構成図である。
【図３】実施の形態１に係る視聴情報データ６の構成図である。
【図４】実施の形態２〜４に係るハイブリット携帯端末１でデジタル放送を受信中に表示処理部１４に表示するＴＶ映像５ａの画面イメージ図である。
【図５】実施の形態２に係る視聴情報データ６の構成図である。
【図６】実施の形態３及び４に係る視聴情報データ６の構成図である。
【図７】実施の形態４に係る視聴率集計サーバ９に送信された視聴情報データ６の具体例（ａ）、（ｂ）及び（ｃ）を示す図である。
【符号の説明】
【００３８】
１  ハイブリット携帯端末
３  デジタル放送波
４  インターネット
６  視聴情報データ
９  視聴率集計サーバ
１２  ＴＶ受信処理部
１５  携帯電話無線通信処理部
１９  視聴情報データ保存部
２０  個人情報データ保存部
３ｃ  番組名
３ｄ  視聴開始−終了時間
５ｃ  キーイベント情報
６ｂ  個人情報
【図１】
2006222574.tif 000003
【図２】
2006222574.tif 000004
【図３】
2006222574.tif 000005
【図４】
2006222574.tif 000006
【図５】
2006222574.tif 000007
【図６】
2006222574.tif 000008
【図７】
2006222574.tif 000009